(57)【要約】【課題】車両取り付け位置が異なっても正規のターゲットエリアを照射することが可能な、また、スペース確保が不要な車載用室内照明装置の機能部品を提供する。【解決手段】照明機能部３３におけるレンズカバー４７は、レンズ突出壁４８の周縁に連続する側壁４９を有している。側壁４９は、複数の連続する壁により構成されている。側壁４９において、対角位置となる二対の壁５１、５１、５２、５２には、それぞれ爪状の凸部となる一対の第一固定ロック５３、５３と、同じく爪状の凸部となる一対の第二固定ロック５４、５４とが突出形成されている。【選択図】図７
2011235685.tif 000002
【特許請求の範囲】
【請求項１】
車載用室内照明装置に用いられ、該車載用室内照明装置の照明取付部に取り付けられる照明機能部を構成に含む機能部品において、
前記照明機能部は、該照明機能部の側壁から突出する固定ロック又は前記側壁が複数の照射方向に対応可能となるように複数種形成される
ことを特徴とする車載用室内照明装置の機能部品。
【請求項２】
請求項１に記載の車載用室内照明装置の機能部品において、
複数種の前記固定ロック又は前記側壁は、前記照明機能部とスイッチ機能部とを接続するＦＰＣの長手方向に対し、種類毎に鋭角で傾く向きに対となり配置される
ことを特徴とする車載用室内照明装置の機能部品。
【請求項３】
請求項１又は請求項２に記載の車載用室内照明装置の機能部品において、
複数種の前記固定ロック又は前記側壁は周方向略同一位置に配置される
ことを特徴とする車載用室内照明装置の機能部品。
【発明の詳細な説明】
【技術分野】
【０００１】
本発明は、車両の室内天井に設置される車載用室内照明装置の機能部品に関する。
【背景技術】
【０００２】
自動車における運転席等を有する室内の天井には、例えば下記特許文献１に開示されるような車載用室内照明装置が設置されている。車載用室内照明装置は、内装用壁材としてのルーフトリムの室内側に組み付けられる意匠部と、意匠部のハウジングにおける室外側に取り付けられる機能部品取付部材と、この機能部品取付部材に取り付けられる機能部品とを備えて構成されている。機能部品には、室内を照明するためのランプや電気回路等が設けられている。
【０００３】
車載用室内照明装置に関し、下記特許文献２には、照明としてのＬＥＤの照射方向を種々選択可能とする構造が開示されている。簡単に説明すると、ＬＥＤを実装してなる基板と、この基板を収容するハウジングと、を有する車載用室内照明装置が開示されており、ハウジング内には断面略コ字状の凸部が複数形成されている。断面略コ字状の凸部は、基板を差し込み固定することが可能な形状に形成されている。断面略コ字状の凸部は、基板に実装されるＬＥＤの照射方向を、複数の照射方向の１つに選択可能となるように複数配置形成されている。断面略コ字状の凸部は、ＬＥＤを実装してなる基板の取り付け部分となることから、ハウジングにおける照明取付部として機能するように形成されている。
【０００４】
上記構成において、第一の照射方向に対応する凸部が選択された場合には、ハウジングの透孔（ＬＥＤの光が通過する孔）に近い位置に基板が固定されるようになっている。また、第二の照射方向に対応する凸部が選択された場合には、第一の照射方向よりも透孔から遠い位置に基板が固定されるようになっている。さらに、第三の照射方向に対応する凸部が選択された場合には、第二の照射方向よりも透孔から遠い位置に基板が固定されるようになっている。
【先行技術文献】
【特許文献】
【０００５】
【特許文献１】特開２００９−８３７９２号公報
【特許文献２】特開２００８−１５５７５１号公報
【発明の概要】
【発明が解決しようとする課題】
【０００６】
ところで、車載用室内照明装置にあっては、これを取り付ける車両が異なると取り付け位置も異なることから、ある車両ではスポット光が正規のターゲットエリアを照射することができても、別の車両では正規のターゲットエリアを照射することができないという問題点が生じてしまう。この問題点を解消するためとして上記特許文献２の開示技術が有効になると考えられるが、上記特許文献２の開示技術は凸部の配置から分かるように、ハウジングに比較的大きなスペースを確保しなければならないという問題点を有している。
【０００７】
本発明は、上記した事情に鑑みてなされたもので、車両取り付け位置が異なっても正規のターゲットエリアを照射することが可能な、また、スペース確保が不要な車載用室内照明装置の機能部品を提供することを課題とする。
【課題を解決するための手段】
【０００８】
上記課題を解決するためになされた請求項１記載の本発明の車載用室内照明装置の機能部品は、車載用室内照明装置に用いられ、該車載用室内照明装置の照明取付部に取り付けられる照明機能部を構成に含む機能部品において、前記照明機能部は、該照明機能部の側壁から突出する固定ロック又は前記側壁が複数の照射方向に対応可能となるように複数種形成されることを特徴とする。
【０００９】
このような特徴を有する本発明によれば、照明機能部を複数の照射方向のうちの１つに選択的に取り付けることが可能になる。また、本発明によれば、照明機能部側で照射方向を選択することが可能になる。
【００１０】
請求項２記載の本発明の車載用室内照明装置の機能部品は、請求項１に記載の車載用室内照明装置の機能部品において、複数種の前記固定ロック又は前記側壁は、前記照明機能部とスイッチ機能部とを接続するＦＰＣの長手方向に対し、種類毎に鋭角で傾く向きに対となり配置されることを特徴とする。
【００１１】
このような特徴を有する本発明によれば、複数の照射方向のうちの１つに選択的に取り付ける際に、ＦＰＣの捩れが少ない状態で取り付けをすることが可能になる
【００１２】
上記課題を解決するためになされた請求項３記載の本発明の車載用室内照明装置の機能部品は、請求項１又は請求項２に記載の車載用室内照明装置の機能部品において、複数種の前記固定ロック又は前記側壁は周方向略同一位置に配置されることを特徴とする。
【００１３】
このような特徴を有する本発明によれば、複数の照射方向のいずれであっても、例えば照明用開口部からの照明機能部の距離を保ちつつ取り付けをすることが可能になる。
【発明の効果】
【００１４】
請求項１に記載された本発明によれば、車両取り付け位置が異なっても正規のターゲットエリアを照射することができるという効果を奏する。
【００１５】
請求項２に記載された本発明によれば、照明機能部の取り付けをし易くすることができるという効果を奏する。
【００１６】
請求項３に記載された本発明によれば、従来例のようなスペース確保を必要とせず、また、車両取り付け位置が異なっても正規のターゲットエリアを照射することができるという効果を奏する。
【図面の簡単な説明】
【００１７】
【図１】本発明に係る車載用室内照明装置を示す図であり、（ａ）は室外側から見た斜視図、（ｂ）は室内側から見た斜視図である。
【図２】車載用室内照明装置の分解斜視図である。
【図３】車載用室内照明装置を室外側から見た斜視図である。
【図４】ハウジング及び機能部品取付部材を室外側から見た斜視図である。
【図５】図４のＡ部分の拡大図である。
【図６】照明機能部及びスイッチ機能部の分解斜視図である。
【図７】照明機能部及びスイッチ機能部の平面図である。
【図８】照明機能部の断面図であり、（ａ）は図７の斜め左から見た側面図、（ｂ）は図７のＣ−Ｃ線断面図である。
【図９】照明機能部の断面図であり、（ａ）は図７の斜め右から見た側面図、（ｂ）は図７のＢ−Ｂ線断面図である。
【図１０】照明機能部の取り付け状態を示す断面図であり、（ａ）は図３の前後方向での断面図、（ｂ）は図３の左右方向での断面図である。
【図１１】ターゲットエリアを照射する状態を示す図である。
【発明を実施するための形態】
【００１８】
車載用室内照明装置は、機能部品における照明機能部が複数の照射方向のうちの１つに選択取り付け可能となる。
【実施例】
【００１９】
以下、図面を参照しながら実施例を説明する。図１ないし図３は本発明に係る車載用室内照明装置を示す図である。また、図４はハウジング及び機能部品取付部材の斜視図、図５は図４のＡ部分の拡大図、図６及び図７は照明機能部及びスイッチ機能部の図、図８及び図９は照明機能部の図、図１０は照明機能部の取り付け状態を示す図、図１１はターゲットエリアを照射する状態を示す図である。
【００２０】
図１ないし図３において、引用符号１は本発明に係る車載用室内照明装置を示している。車載用室内照明装置１は、内装用壁材である天井トリム（図示省略）の室内側に取り付け固定される意匠部２と、この意匠部２のハウジング３における室外側に取り付け固定される機能部品取付部材４と、機能部品取付部材４に取り付け固定される機能部品５とを備えて構成されている。車載用室内照明装置１は、後述するが、車両違いによる車両取り付け位置が異なっても正規のターゲットエリアを照射することが可能に構成されている。先ず、各構成部材について説明をする。
【００２１】
上記意匠部２は、合成樹脂製の上記ハウジング３を有している。このハウジング３は、平面視略長方形状に形成されている。ここで、図中の矢印Ｐを室外室内方向（上下方向）、矢印Ｑを前後方向、矢印Ｒを左右方向と定義すると、ハウジング３の室外側には、クリップ６を係止するためのクリップ係止部７が設けられている。意匠部２は、クリップ係止部７に係止されたクリップ６等を利用して天井トリムに固定されるようになっている。ハウジング３の中央には、レンズ用凹部８が形成されている。また、このレンズ用凹部８の左右外側位置には、操作収容孔９がそれぞれ形成されている。
【００２２】
レンズ用凹部８の室内側には、レンズ体１０が装着されている。また、レンズ用凹部８の室外側の奥位置には、照明用開口部１１及び２つの照明用開口部１２がそれぞれ開口形成されている。２つの照明用開口部１２の室外側には、後述する照明機能部３３がそれぞれ取り付けられている。
【００２３】
各操作収容孔９には、スイッチ操作部１３が上下方向移動自在に収容されている。このような各操作収容孔９の室外側の奥位置には、底面部１４が形成されている。底面部１４の中央には、方形状のスイッチ突出孔１５が開口形成されている。また、底面部１４の室外側には、スイッチ突出孔１５の全周囲を囲むような位置決めリブ１６が突出形成されている。
【００２４】
ハウジング３の室外側には、機能部品取付部材４を係止するためのハウジング側係止部１７が複数配置形成されている。
【００２５】
上記機能部品取付部材４は、合成樹脂製の部材であって、ハウジング３の照明用開口部１１に対応する位置には、照明取付部１８が形成されている。また、ハウジング３の２つの照明用開口部１２に対応する位置には、照明取付部１９がそれぞれ形成されている。２つの照明取付部１９は、基本的に同じ形状に形成されている。以下、一方の照明取付部１９を代表例に挙げて説明をする。
【００２６】
図３〜図５、及び図１０のいずれかにおいて、照明取付部１９は、所定の形状で開口する開口部２０と、この開口部２０の下方、すなわちハウジング３の照明用開口部１２側に位置する第一係止アーム部２１及び第二係止アーム部２２と、第一係止壁部２３及び第二係止壁部２４とを少なくとも含んで構成されている。開口部２０は、後述する照明機能部３３の形状に合わせて開口するように形成されている。第一係止アーム部２１及び第二係止アーム部２２と、第一係止壁部２３及び第二係止壁部２４は、弾性を有するとともに照明機能部３３を挟持することができるように形成されている。また、第一係止アーム部２１及び第二係止アーム部２２と、第一係止壁部２３及び第二係止壁部２４は、照明機能部３３のガタ付きを抑えることができるように形成されている。第一係止壁部２３及び第二係止壁部２４は、照明機能部３３を第一係止アーム部２１及び第二係止アーム部２２に押し付けるようなダンパー形状に形成されている。
【００２７】
第一係止アーム部２１及び第二係止アーム部２２と、第一係止壁部２３及び第二係止壁部２４は、照明取付部１９側における取り付け手段として形成されている。
【００２８】
第一係止アーム部２１及び第二係止アーム部２２は、後述する照明機能部３３側の取り付け手段に対して基準面となるように形成されている。
【００２９】
第一係止アーム部２１及び第二係止アーム部２２と、第一係止壁部２３及び第二係止壁部２４は、照明機能部３３のガタ付きを挟持により抑えて、組み付けガタによる光軸のズレを規制することができるように形成されている。
【００３０】
図１ないし図３に戻り、機能部品取付部材４は、ハウジング３の２つの照明用開口部１２よりも更に両外側位置に、且つハウジング３の２つのスイッチ突出孔１５に対応する位置にスイッチ取付部２５を有している。このスイッチ取付部２５は、スイッチ突出孔１５よりも大きな寸法で形成されている。スイッチ取付部２５には、位置決めリブ１６が挿入されるようになっている。位置決めリブ１６が挿入されると、この位置決めリブ１６はスイッチ取付部２５よりも室外側に突出するようになっている。スイッチ取付部２５の周囲には、複数の弾性係止アーム部２６が突出形成されている。弾性係止アーム部２６は、後述するスイッチ機能部３１を係止することができるように形成されている。
【００３１】
機能部品取付部材４の室内側には、ハウジング３のハウジング側係止部１７に引っ掛かり係止される係止部（図示省略）が複数配置形成されている。各係止部がハウジング側係止部１７に係止されることにより、機能部品取付部材４はハウジング３に取り付け固定されるようになっている。
【００３２】
機能部品取付部材４の室外側には、コネクタ取付部２７が形成されている。このコネクタ取付部２７は、後述するコネクタ２８を係止することができるように形成されている。
【００３３】
図１ないし図３において、上記機能部品５は、天井トリム（図示省略）の室外側に配索されるルーフハーネス（図示省略）に対し電気的に接続されるコネクタ２８と、このコネクタ２８にワイヤハーネス２９を介して接続されるランプ機能部３０と、同じくワイヤハーネス２９を介して接続される２つのスイッチ機能部３１と、この各スイッチ機能部３１にＦＰＣ３２を介して接続される照明機能部３３とを備えて構成されている。
【００３４】
ランプ機能部３０は、ウェッジバルブ３４と、このウェッジバルブ３４を装着するハウジング等を有する機能部本体３５とを備えて構成されている。ランプ機能部３０は、照明取付部１８に取り付け固定されている。
【００３５】
図６及び図７において、スイッチ機能部３１は、スイッチカバー３６と、ＦＰＣ３２のスイッチ実装部３７に実装されるスイッチ３８と、スイッチ実装部３７を収容するハウジング３９と、このハウジング３９に組み付けられてワイヤハーネス２９を圧接接続する圧接刃付きのバスバー４０と、ハウジング３９に嵌合して上記圧接接続の部分を覆う電線カバー４１とを備えて構成されている。スイッチ機能部３１は、対応するスイッチ取付部２５に取り付け固定されている。
【００３６】
ＦＰＣ３２は、フレキシブルプリントサーキットであって、スイッチ実装部３７と、帯状に形成される帯状部４２と、照明実装部４３とを有している。帯状部４２の一端には、スイッチ実装部３７が連成されている。また、他端には照明実装部４３が連成されている。
【００３７】
照明機能部３３は、ＦＰＣ３２の照明実装部４３に実装されるＬＥＤ４４（照明）と、このＬＥＤ４４を覆うレンズ４５と、照明実装部４３が載置される放熱板４６と、レンズ４５を突出させるように放熱板４６に嵌合するレンズカバー４７とを備えて構成されている。照明機能部３３は、対応する照明取付部１９に取り付け固定されている。レンズカバー４７は、照明機能部３３側の取り付け手段を有している。以下、レンズカバー４７や取り付け手段について説明をする。
【００３８】
図６ないし図１０において、レンズカバー４７は、レンズ突出壁４８と、このレンズ突出壁４８の周縁に連続する側壁４９とを有している。レンズ突出壁４８は、略多角形状であって、中央に開口部５０を有している。側壁４９は、レンズ突出壁４８が略多角形状であることから、複数の連続する壁により構成されている。側壁４９において、対角位置となる二対の壁５１、５１、５２、５２には、それぞれ爪状の凸部となる一対の第一固定ロック５３、５３と、同じく爪状の凸部となる一対の第二固定ロック５４、５４とが突出形成されている（図７参照）。また、他の壁のうちの１つ（壁５５）には、側壁開口部５６が形成されている（図６参照）。
【００３９】
一対の第一固定ロック５３と、同じく一対の第二固定ロック５４は、共に照明機能部３３側の取り付け手段として形成されている。一対の第一固定ロック５３及び一対の第二固定ロック５４は、車両違いによる車両取り付け位置の相違に合わせて選択的取り付けをすることができるように形成されている。本実施例においては、二種類の車両取り付け位置の相違に対応することができるように形成されている（固定ロックの種類を増やせば、更に車両取り付け位置の相違に対応することが可能であるものとする）。一対の第一固定ロック５３及び一対の第二固定ロック５４は、ＦＰＣ３２における帯状部４２の長手方向（延在方向）に対し、一対となる向きがそれぞれ略４５度傾くような位置に配置形成されている（このような配置は、上記選択的取り付けの際に捩れの少ない取り付けをすることが可能になる）。一対の第一固定ロック５３及び一対の第二固定ロック５４は、側壁４９において、周方向略同一位置に配置形成されている。
【００４０】
図８及び図９において、第一固定ロック５３は、この係止面が第二固定ロック５４の係止面に対して角度θ分だけ傾くように形成されている（θは後述するスポット光が正規のターゲットエリアを照射できる角度に設定されるものとする）。具体的には、第二固定ロック５４の係止面を基準面Ｆ１すると、第一固定ロック５３の係止面Ｆ２は角度θ分だけ傾くように形成されている。尚、第二固定ロック５４に係る壁５２、５２の表面を基準面Ｆ３として、第一固定ロック５３に係る壁５１、５１の表面Ｆ４を角度θ′分だけ傾くように形成してもよいものとする。この場合も、車両取り付け位置の相違に対応することができるようになる。
【００４１】
図１０（ａ）において、レンズカバー４７の一対の第一固定ロック５３、又は一対の第二固定ロック５４は、第一係止アーム部２１及び第二係止アーム部２２に引っ掛かり係止されている。また、図１０（ｂ）のようにレンズカバー４７の室内側のレンズ突出壁４８は、第一係止壁部２３と第二係止壁部２４に当接している。すなわち、照明機能部３３は、第一係止アーム部２１と第一係止壁部２３、第二係止壁部２４が弾性的に第一固定ロック５３若しくは第二固定ロック５４を第一係止アーム部２１と第二係止アーム部２２との係合側に押し付けている。これにより取り付けのガタ付きが防止されている。
【００４２】
本実施例においては、第一係止アーム部２１及び第二係止アーム部２２に対し一対の第一固定ロック５３が引っ掛かり係止されたとしても、又は、一対の第二固定ロック５４が引っ掛かり係止されたとしても、照明機能部３３の傾きが若干異なるだけで、照明用開口部１２からの距離は保たれている。
【００４３】
次に、車載用室内照明装置１の組み付け作業の一例について、以下に説明をする。
【００４４】
組み付け作業は、先ず天井トリム（図示省略）の取り付け孔の位置で意匠部２を室内側から取り付け固定する。
【００４５】
照明機能部３３を選択的に取り付け固定することにより、照明機能部３３のＬＥＤ４４によるスポット光は、図１１に示す如く車両Ａ、車両Ｂのいずれであっても正規のターゲットエリアを照射できるようになる。
【００４６】
以上、図１ないし図１１を参照しながら説明してきたように、本発明によれば、車両取り付け位置が異なっても正規のターゲットエリアを照射することが可能な車載用室内照明装置１を提供することができる。また、本発明によれば、車両取り付け位置が異なっても照明用開口部１２からの照明機能部３３の距離を保ちつつ正規のターゲットエリアを照射できることから、従来例のようなスペースを確保する必要がなく、結果、コンパクトな車載用室内照明装置１を提供することができる。
【００４７】
本発明は本発明の主旨を変えない範囲で種々変更実施可能なことは勿論である。
【００４８】
尚、車載用室内照明装置１に関し、以下の付記１〜付記２のように特徴付けることも可能である。
【００４９】
［付記１］  
内装用壁材の室内側に取り付けられる意匠部と、
該意匠部のハウジングにおける室外側に取り付けられる機能部品取付部材と、
該機能部品取付部材に取り付けられる機能部品と、を備え、
該機能部品は、前記ハウジングにおける照明用開口部の室外側に位置する照明取付部に取り付けられる照明機能部を構成に含む
車載用室内照明装置において、
前記照明機能部を前記照明取付部に取り付けるための取り付け手段は、複数の照射方向のうちの１つに前記照明機能部を選択取り付け可能、且つ前記照明用開口部からの距離を保ちつつ前記照明機能部を取り付け可能に形成される
ことを特徴とする車載用室内照明装置。
【００５０】
このような特徴によれば、車載用室内照明装置に用いられる機能部品は、照明機能部が複数の照射方向のうちの１つに選択的に取り付けられる。この時の取り付けは、照明用開口部からの距離を保ちつつ取り付けられる。従って、従来例のようなスペース確保を必要とせず、また、車両取り付け位置が異なっても正規のターゲットエリアを照射することができるという効果を奏する。
【００５１】
［付記２］  
［付記１］に記載の車載用室内照明装置において、
前記取り付け手段は、前記照明用開口部の位置における前記照明機能部のガタ付きが吸収可能となるように形成される
ことを特徴とする車載用室内照明装置。
【００５２】
このような特徴によれば、照明取付部に取り付けられた状態の照明機能部は、このガタ付きが抑えられる。従って、組み付けガタによる光軸のズレを規制することができるという効果を奏する。これにより、正規のターゲットエリアへの照射を維持することができるという効果を奏する。
【符号の説明】
【００５３】
１…車載用室内照明装置
２…意匠部
３…ハウジング
４…機能部品取付部材
５…機能部品
６…クリップ
７…クリップ係止部
８…レンズ用凹部
９…操作収容孔
１０…レンズ体
１１、１２…照明用開口部
１３…スイッチ操作部
１４…底面部
１５…スイッチ突出孔
１６…位置決めリブ
１７…ハウジング側係止部
１８、１９…照明取付部
２０…開口部
２１…第一係止アーム部（取り付け手段）
２２…第二係止アーム部（取り付け手段）
２３…第一係止壁部（取り付け手段）
２４…第二係止壁部（取り付け手段）
２５…スイッチ取付部
２６…弾性係止アーム部
２７…コネクタ取付部
２８…コネクタ
２９…ワイヤハーネス
３０…ランプ機能部
３１…スイッチ機能部
３２…ＦＰＣ
３３…照明機能部
３４…ウェッジバルブ
３５…機能部本体
３６…スイッチカバー
３７…スイッチ実装部
３８…スイッチ
３９…ハウジング
４０…バスバー
４１…電線カバー
４２…帯状部
４３…照明実装部
４４…ＬＥＤ
４５…レンズ
４６…放熱板
４７…レンズカバー
４８…レンズ突出壁
４９…側壁
５０…開口部
５１、５２、５５…壁（側壁）
５３…第一固定ロック（取り付け手段）
５４…第二固定ロック（取り付け手段）
５６…側壁開口部
【図１】
2011235685.tif 000003
【図２】
2011235685.tif 000004
【図３】
2011235685.tif 000005
【図４】
2011235685.tif 000006
【図５】
2011235685.tif 000007
【図６】
2011235685.tif 000008
【図７】
2011235685.tif 000009
【図８】
2011235685.tif 000010
【図９】
2011235685.tif 000011
【図１０】
2011235685.tif 000012
【図１１】
2011235685.tif 000013